【事件の表示】
　特許第２６６９６４２号「画像読取装置」の特許に対する特許異議の申立てについて、次のとおり決定する。
【結論】
　訂正を認める。
　特許第２６６９６４２号の特許を維持する。
【理由】
１．手続きの経緯
　本件特許第２６６９６４２号発明は、昭和６３年４月２５日に特許出願され、平成９年７月４日にその特許権の設定登録がなされ、その後、森利貞より特許異議の申し立てがなされ、取消理由通知がなされ、その指定期間内である平成１０年９月１６日に訂正請求がされ、その後、訂正拒絶理由通知がなされ、この訂正拒絶理由に対して平成１０年１２月１５日付けの手続補正書が提出され、その後更に、訂正拒絶理由通知がなされ、その訂正拒絶理由に対して平成１１年７月８日付けの手続補正書が再度提出されたものである。
２．訂正の適否についての判断
　ア．平成１１年７月８日付けの補正書により補正された訂正明細書の請求項１に係る発明は、その特許請求の範囲の請求項１に記載された次の事項により特定されるとおりのものである。
　「原稿に照射した光の反射光を画素毎に分割して所定の読取タイミングでライン毎に主走査するとともに、副走査信号に基づいて所定のステップ幅で副走査する画像読取装置において、
　前記副走査方向の１ステップ幅を副走査方向の読取幅よりも小さなステップ幅とし、画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、副走査方向の読取幅を変化させて画像の読み取りを行うことを特徴とする画像読取装置。」
　イ．訂正の内容
　訂正は、平成１１年７月８日付け補正書により補正された訂正請求書の「訂正の要旨」に記載された次の事項ａ〜ｄに係る訂正を求めるものである。
▲１▼訂正事項ａ
　特許請求の範囲第１項における記載「画像拡大時、副走査信号を適宜間引きして該読取幅の中間の位置まで副走査し、該中間位置において」を「画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、副走査信号の読取幅を変化させて」と訂正する。
▲２▼訂正事項ｂ
　明細書第２頁第１行目の「コピア」を「複写機」と訂正する。
▲３▼訂正事項ｃ
　明細書第５頁第７行〜第９行目の記載「画像拡大時…画像の読み取り」を「画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、方向の読取幅を変化させて画像の読み取り」と訂正する。
▲４▼訂正事項ｄ
　明細書第６頁第７行〜第８行目の「ＳＴ同期」を「ＳＴに同期して」と訂正する。
　ウ．訂正の目的の適否、新規事項の有無及び拡張・変更の存否
　上記訂正事項ａに係る訂正は、特許請求の範囲の減縮に該当し、また、上記訂正事項ｂ及びｄに係る訂正は、発明の詳細な説明の欄における不明瞭な記載の釈明に該当し、そして、上記訂正事項ｃに係る訂正は、特許請求の範囲の減縮を目的としてなされた訂正事項ａに伴ってなされた訂正であって、発明の詳細な説明の欄における不明瞭な記載の釈明に該当し、これら訂正事項ａ〜ｄに係る訂正は、新規事項の追加に該当せず、実質的に特許請求の範囲を拡張又は変更するものではない。
　エ．独立特許要件の判断
　（引用刊行物）
　平成１０年９月１６日付けの補正書により補正された訂正明細書の請求項１に係る発明に対して、当審が通知した訂正拒絶理由で引用した刊行物１（特開昭５８−６９４９９号公報）には、
　「平面操作方式を採用したファクシミリ等の原稿読取装置では、原稿の搬送駆動源として通常ステップモータを使用している。ステップモータを使用した原稿読取装置では、ステップモータにより定まる原稿の１ラインについての副走査方向への送りピッチを適宜変化させることにより、等倍の他に拡大あるいは縮小された画像についての画信号を得ることができる。」（第１頁右下欄第３行〜第１０行）、
　「原稿１ライン分についてのロータ（回転子）の回転角度そのものを変化させる方式が提案されている。この方式では、読み取りの各倍率に応じて、例えば等倍では４回、拡大では３回、また縮小では５回というように、入力パルス信号の供給数を変化させることにより、原稿１ライン分についての副走査線を相異させる。」（第１頁右下欄第２０行〜第２頁左下欄第７行）、との記載がなされている。
　（対比・判断）
　平成１１年７月８日付けの補正書により補正された訂正明細書の請求項１に係る発明（以下、「本件発明」という。）と上記刊行物１に記載された発明とを対比すると、上記刊行物１に記載された発明は、本件発明を特定する事項である「画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、副走査方向の読取幅を変化させる」事項を備えておらず、当該事項により本件発明は、「画像拡大時に、副走査の速度変動を小さくすることができるとともに、正確な読取位置を設定することができ、画像拡大時の画質を向上させることができる。」という明細書記載の顕著な効果を奏するものであるから、本件発明が上記刊行物１に記載された発明に基いて当業者が容易に発明をすることができたとはいえない。
　したがって、本件発明は特許出願の際独立して特許を受けることができない発明とすることはできない。
　オ．むすび
　以上のとおりであるから、上記訂正請求は、特許法第１２０条の４第２項及び同条第３項で準用する第１２６条の第２−４項の規定に適合するので、当該訂正を認める。
３．特許異議申立てについての判断
　ア．申立の理由の概
　申立人森利貞は、証拠として甲第１号証（前記刊行物１）を提出し、請求項１に係る発明は、甲第１号証に記載された発明に基いて当業者が容易に発明をすることができたものであるから、特許法第２９条第２項の規定により特許をうけることができないものであり、特許法第１１３条第１項第２号の規定により特許を取り消すべき旨主張している。
　イ．判断
　本件発明は、上記２．エ（独立特許要件の判断）で示したように、上記甲第１号証に記載された発明（平成１０年９月２７日付けの訂正拒絶理由通知で引用した前記刊行物１に記載された発明）に基いて当業者が容易に発明をすることができたものとすることはできない。
　ウ．むすび
　以上のとおりであるから、本件特許異議申立の理由及び証拠によっては、本件発明の特許を取り消すことはできない。
　また、他に同特許を取り消すべき理由を発見しない。
　よって、結論のとおり決定する。
【異議決定日】
平成１１年８月６日（１９９９．８．６)
【訂正の要旨】
訂正の要旨
▲１▼明細書の【特許請求の範囲】の請求項１の記載を次の通り訂正する。
　「原稿に照射した光の反射光を画素毎に分割して所定の読取タイミングでライン毎に主走査するとともに、副走査信号に基づいて所定のステップ幅で副走査する画像読取装置において、
　前記副走査方向の１ステップ幅を副走査方向の読取幅よりも小さなステップ幅とし、画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、副走査方向の読取幅を変化させて画像の読み取りを行うことを特徴とする画像読取装置。」
▲２▼明細書第２頁第１行目の「コピア」を「複写機」と訂正する。
▲３▼明細書第５頁第７行〜第９行目の「画像拡大時………画像の読み取り」を
　「画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、副走査方向の読取幅を変化させて画像の読み取り」と訂正する。
▲４▼明細書第６頁第７行〜第８行目の「ＳＴ同期」を
　「ＳＴに同期して」と訂正する。
（５４）【発明の名称】
画像読取装置
（５７）【特許請求の範囲】
　原稿に照射した光の反射光を画素毎に分割して所定の読取タイミングでライン毎に主走査するとともに、副走査信号に基づいて所定のステップ幅で副走査する画像読取装置において、
　前記副走査方向の１ステップ幅を副走査方向の読取幅よりも小さなステップ幅とし、
画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、副走査方向の読取幅を変化させて
【発明の詳細な説明】
（産業上の利用分野）
　本発明は画像読取装置に関し、詳細には画像拡大処理時の画質の向上を図った画像読取装置に関する。
（従来の技術）
　近時、ディジタル複写機やスキャナー装置等の画像読取装置においては、単に原稿の画像を読み取るだけでなく、画像の拡大あるいは縮小処理を行うことが要請されている。
　従来、画像読取装置においては画像の拡大処理を行う場合、主走査方向においては所定の拡大タイミングに同一画素を２度読みし、副走査方向においては所定の拡大タイミングに同一ラインを２度読みしている。
　すなわち、従来の画像読取装置においては、第５図に示すように、主走査同期信号により読取手段であるＣＣＤ（Ｃｈａｒｇｅ　Ｃｏｕｐｌｅｄ　Ｄｅｖｉｃｅ）から１ライン分の画像データ（画素毎に分割された１ライン分の画像データ）を読み取り、この主走査同期信号に同期した駆動タイミングでステップモータに駆動信号を出力して副走査する。
　拡大タイミングにおいては、ＣＣＤ出力ＤＡＴｎＡを読み取るための主走査同期信号を出力してＣＣＤ出力ＤＡＴｎＡを読み取るが、これと同期した駆動信号をステップモータに出力せず、副走査しない。次の主走査同期信号で同じラインの画像データをＣＣＤ出力ＤＡＴｎＢとして読み取り、このタイミングで駆動信号を出力する。
　したがって、拡大タイミングにおいて、同一ラインを２度読みし、副走査方向の画像の拡大が行われる。
（発明が解決しようとする課題）
　しかしながら、このような従来の画像読取装置にあっては、副走査方向に読取幅だけ副走査するのに、ステップモータの一度の駆動だけで行い、拡大タイミングで副走査を停止させていたため、同一ラインを２度読みすることができず、ずれを生じるとともに、次のラインを読み取るのに急激な駆動を行ってもこのずれが影響して画質が悪化するという問題点があった。
　すなわち、拡大タイミングまではステップモータの１度の駆動で所定の読取幅（例えば１／１２ｍｍ）づつ等速度で副走査しており、拡大タイミングになると、ステップモータによる駆動を行わず、急激な制動が加えられることになる。しかし、等速度で副走査してきたものに急激な制動を加えても急激には停止せず、主走査同期信号で読み取られた画像データ、すなわち画像の読取ポイントは第６図に示すように、ｎライン目が拡大タイミングであるとすると、同じｎライン目を２度読みせずに、破線で示すように、ｎ＋１ライン目方向にずれた位置で読み取ることとなる。すなわち、ＤＡＴｎＡが実線位置でのＣＣＤ出力で、ＤＡＴｎＢは破線の位置でのＣＣＤ出力となる。この読取位置のずれは、次ライン以降の読取位置にも影響し、画質が悪化する。
（発明の目的）
　そこで、本発明は、副走査方向の読取幅よりも小さなステップ幅で副走査し、画像拡大時、該読取幅の中間位置まで副走査して読み取りを行って副走査方向の画像拡大処理を行うことにより、画像拡大時の副走査の速度変動を小さくし、かつ、正確な読取位置を設定して、画像拡大時の画質を向上させることを目的としている。
（発明の構成）
　本発明は、上記目的を達成するため、原稿に照射した光の反射光を画素毎に分割して所定の読取タイミングでライン毎に主走査するとともに、副走査信号に基づいて所定のステップ幅で副走査する画像読取装置において、前記副走査方向の１ステップ幅を副走査方向の読取幅よりも小さなステップ幅とし、
画像の拡大時に、読取タイミング間の副走査信号の数を均等にすることのできない拡大率のとき、該拡大率に応じて読取タイミング間毎の副走査信号を適宜間引きして該読取タイミング間毎の副走査信号の数を変化させることにより、副走査方向の読取幅を変化させて
　以下、本発明の実施例に基づいて具体的に説明する。
　第１図〜４図は本発明の一実施例を示す図である。
　第１図は画像読取装置１の要部回路ブロック図であり、画像読取装置１はＣＰＵ　（Ｃｅｎｔｒａｌ　Ｐｒｏｃｅｓｓｉｎｇ　Ｕｎｉｔ）２、モータドライバ３および画像読取手段４を備えている。
　モータドライバ３はＣＰＵ２からの駆動タイミング信号ＭＴに同期して図外の副走査用のステップモータに駆動パルスを出力し、ＣＰＵ２はモータドライバ３に所定の周期で駆動タイミング信号ＭＴを出力する。
　画像読取手段４はＣＣＤ（Ｃｈａｒｇｅ　Ｃｏｕｐｌｅｄ　Ｄｅｖｉｃｅ）等で形成され、原稿に照射された
光の反射光を画素毎に分割して光電変換する。画像読取手段４はＣＰＵ２から入力される主走査同期信号ＳＴ
に同期して
　次に作用を説明する。
　ＣＰＵ２は画像の拡大を行わないときには、第２図に示すように、画像読取手段４に主走査同期信号ＳＴを出力して画像読取手段４に画像の読み取りを行わせるとともに、モータドライバ３に主走査同期信号ＳＴの倍の周期で駆動タイミング信号ＭＴを出力して副走査する。この主走査同期信号ＳＴと駆動タイミング信号ＭＴの１つおきの出力タイミングは同期している。したがって、ステップモータは副走査方向の読取幅の半分のステップ幅で副走査し、ステップ２回の副走査に１回の割で画像読取手段４から画像が読み出される。その結果、副走査は等速度で行われ、主走査同期信号ＳＴのタイミングで画像が周期的に読み出される。したがって、画像読取手段４は、第３図に示すように、所定の読取幅毎に適確に画像を読み取る。
　次に、画像拡大処理を行うときには、原稿１頁当たりの読取回数を拡大率に合わせて多くするが、そのために、本実施例では拡大タイミングにおいて主走査同期信号ＳＴと主走査同期信号ＳＴの間にモータドライバ３に出力する駆動タイミング信号ＭＴを間引くことにより通常の読取幅位置ごとに画像を読み取る他に、通常の副走査幅の半分の副走査位置においても画像の読み取りを行っている。
　すなわち、第２図に示すように、主走査同期信号ＳＴのｎライン目の主走査同期信号ＳＴｎＡによりＤＡＴｎＡを読み取ると、モータドライバ３へ駆動タイミング信号ＭＴを出力し、読取幅の半分だけ副走査する。しかし、その後通常主走査同期信号ＳＴと主走査同期信号ＳＴの間に出力される駆動タイミング信号ＭＴを１回カットし、読取幅の半分だけ副走査された位置で画像読取手段４に主走査同期信号ＳＴｎＢを出力して画像を読み取らせる。この主走査同期信号ＳＴｎＢの出力と同期してモータドライバ３に駆動タイミング信号ＭＴを出力し、読取幅の半分だけ副走査し、再度主走査同期信号ＳＴｎ＋１を出力する。したがって、主走査同期信号ＳＴｎＡ出力位置から通常の読取幅だけ副走査した位置で再び画像が読み取られ、以降次の拡大タイミングがくるまで、通常の読取動作を行う。したがって、通常の読取幅の半分のステップ幅で副走査しているため、拡大タイミングにおいて駆動タイミング信号ＭＴを間引きしても副走査の速度変動は小さく、また、副走査を完全に停止させて同じラインを２度読みさせず、第４図に示すように、通常の読取幅の半分だけ副走査した位置（ｎライン目Ｂ）で読み取りが行われるため、副走査の速度変動をより一層低減させることができる。その結果、拡大処理時の画質を向上させることができる。さらに、同じラインを２度読みする場合に比較し、読取幅の中間位置を読み取るため、画質がなめらかなものとなり、より一層良好なものとなる。
　なお、上記実施例においては、副走査のステップ幅を通常の読取幅の半分としたが、これに限るものではなく、副走査の速度変動を小さく抑えることができるステップ幅であればよい。
（効果）
　本発明によれば、画像拡大時に、副走査の速度変動を小さくすることができるとともに、正確な読取位置を設定することができ、画像拡大時の画質を向上させることができる。
【図面の簡単な説明】
　第１図〜第４図は本発明の画像読取装置の一実施例を示す図であり、第１図はその画像読取装置の要部回路ブロック図、第２図は主走査同期信号ＳＴ、駆動タイミング信号ＭＴおよび出力画像の関係を示すタイミングチャート、第３図は非拡大時の画像読取ポイントを示す図、第４図はその画像拡大処理時の画像読取ポイントを示す図である。
　第５、６図は従来の画像読取装置を示す図であり、第５図はその主走査同期信号、駆動タイミング信号および出力画像の関係を示す図、第６図はその画像拡大処理時の画像読取ポイントを示す図である。
　１……画像読取装置、
　２……ＣＰＵ、
　３……モータドライバ、　
　４……画像読取手段。